(57)【特許請求の範囲】
【請求項１】
平面視で重なるように配置した上下ベース、前記上下ベースを水平方向に相対動させるために両者の間に介在させた複数個のボール、前記各ボールを転動自在に保持するリテーナ、
を備えているボール式免震台であって、
前記リテーナは、各ボールに対応した複数個のボール保持部材と、前記各ボール保持部材が固定された本体とを備えており、前記ボール保持部材は、合成樹脂からなる単一部材であると共に上下に開口した筒状のボール保持部を有しており、前記ボール保持部を、前記本体と反対側の外側に位置した部位に上下長手のスリットを形成して平面視で非ループ状に分断することにより、ボール保持部自身の弾性によってボールが転動可能な状態に挟持されていると共に、開口部からボールを嵌め入れできるようになっている、
ボール式免震台。
【請求項２】
平面視で重なるように配置した上下ベース、前記上下ベースを水平方向に相対動させるために両者の間に介在させた複数個のボール、前記各ボールを転動自在に保持するリテーナ、
を備えているボール式免震台であって、
前記リテーナは、各ボールの箇所に一対ずつ配置された挟持体と、前記挟持体が取り付けられた本体とを備えており、前記各挟持体は、平面視でボールを挟んだ両側に配置されていると共に、ボールが部分的に嵌まる凹所を有しており、一対の挟持体は、前記凹所でボールを挟む方向に弾性体で付勢されている、
ボール式免震台。
【発明の詳細な説明】
【０００１】
【発明の属する技術分野】
本発明は、ボール（鋼球）を使用した免震台に関するものである。
【０００２】
【従来の技術】
免震台（免震装置）の一つに、上下ベースの間にボールを転動自在に介在させることにより、上下ベースの水平方向の相対動を許容したタイプがある。
【０００３】
この種のボール式免震台では、上下ベースにおけるボール支持面のうちいずれか一方又は両方を、中央部に行くに従って深さが深くなる凹面に形成しており、このため、上下ベースは往復動しながら原位置に戻る。
【０００４】
そして、ボール式の免震台は、上下ベースが平面視で任意の方向に相対動し得るため、どのような方向の揺れに対しても応答性良く免震できる利点がある。また、上下ベースはボールの移動距離の２倍の距離を相対動するため、コンパクトで高い免震機能を得ることができ、このため、例えば美術品用展示ケースのような什器類に使用する免震台に好適である。
【０００５】
【発明が解決しようとする課題】
ボール式免震台において、地震の揺れに追従して上下ベースを正確に相対動させるには、各ボールの相対位置を維持しておくことが必要であり、そのためにはリテーナによって各ボールを転動自在に保持すれば良い。
【０００６】
しかし、リテーナを設けた場合、リテーナとボールとの間にガタ付きがあると、上下ベースの相対動方向が変わるたびにボールがリテーナに衝突して、上下ベースの相対動に加速度（マイナスの加速度）が発生して、上下ベースの滑らかな動きが損なわれ、ひいては免震性能を低下させる虞がある。
【０００７】
本発明は、上記のような問題を招来することなくリテーナでボールを保持できる免震台を提供することを目的とするものである。
【０００８】
【課題を解決するための手段】
本願発明の免震台は、基本構成として、平面視で重なるように配置した上下ベース、前記上下ベースを水平方向に相対動させるために両者の間に介在させた複数個のボール、前記各ボールを転動自在に保持するリテーナ、を備えている。
【０００９】
そして、請求項１の発明では、前記リテーナは、各ボールに対応した複数個のボール保持部材と、前記各ボール保持部材が固定された本体とを備えており、前記ボール保持部材は、合成樹脂からなる単一部材であると共に上下に開口した筒状のボール保持部を有しており、前記ボール保持部を、前記本体と反対側の外側に位置した部位に上下長手のスリットを形成して平面視で非ループ状に分断することにより、ボール保持部自身の弾性によってボールが転動可能な状態に挟持されていると共に、開口部からボールを嵌め入れできるようになっている。
【００１０】
請求項２の発明では、前記基本構成の下で、前記リテーナは、各ボールの箇所に一対ずつ配置された挟持体と、前記挟持体が取り付けられた本体とを備えており、前記各挟持体は、平面視でボールを挟んだ両側に配置されていると共に、ボールが部分的に嵌まる凹所を有しており、一対の挟持体は、前記凹所でボールを挟む方向に弾性体で付勢されている。
【００１１】
【発明の作用・効果】
両請求項の発明とも、ボールはその転動が許容された状態でリテーナにガタ付きなく納まっているため、リテーナとボールとは完全に一体になって相対動する。
【００１２】
従って、上下ベースを、加速度を生じさせることなくスムースに相対動させることができるのであり、その結果、リテーナを設けたことの意義、すなわち、各ボールを揃えた状態で移動させて免震性能を高めるという意義を、より確実ならしめることができる。
【００１３】
請求項１の構成では、ボール保持部は単一部材から成っているため、それだけ構造が簡単になる。また、ボール保持部を頑丈な構造にできるため、大きな荷重がかかる免震台に好適である。
【００１４】
請求項２の構成では、挟持体は弾性体で付勢されているため、挟持体等の部材の寸法精度を高くしなくても、ボールを挟持体で確実に挟持することができる。
【００１５】
【発明の実施形態】
次に、本発明の実施形態を図面に基づいて発明する。
【００１６】
(1).第１実施形態（図１〜図19）
図１〜図１９では第１実施形態を示しており、このうち図１は全体の概略斜視図、図２は分離した状態の正面図である。本実施形態の免震台１は、美術品や博物用の展示ケースのように、かなりの重量のある物品（被免震物）Ｗに使用するように設計されている。
【００１７】
図２に示すように、免震台１は、物品Ｗが取付く上ベース２と、床面に置かれる下ベース３と、上下ベース２，３の間に介在させた４個のボール４と、これらのボール４を保持するリテーナ５とを備えている。リテーナ５には、軽い力では物品Ｗが動かないように上下ベース２，３の相対動に抵抗を与える抵抗付与手段（ダンパ手段）の一例として、ロータリダンパ６を設けている。以下、各部位を詳述する。
【００１８】
(1)-1.上ベース２の構造
図３は図２の III-III視底面図、図４は図３のIV−IV視断面図であり、これら両図及び図２に示すように、上ベース２は金属製の上基板７を備えている。
【００１９】
上基板７における下面のうちコーナー寄りの４ヶ所には、金属板製の上受け板８がねじによって固着されている。上受け板８の下面には、底面視円形の凹曲面８ａが形成されている。隣合った上受け板８の間には間隔が空いており、このため、上ベース２の下面には、中心から四方に延びる上溝７ａが形成されている。
【００２０】
上基板７の四周には、下向きに突出した金属板製の上フレーム９を固着している。上受け板８と上フレーム９との間にもある程度の間隔が空いており、上基板７の四辺の箇所には、上フレーム９の内側に位置した断面略Ｌ字状のストッパー１０を取付けている。
【００２１】
上ベース２の下面のうちＬ字状に交叉した２つの上溝７ａに、平面視で直交した方向に延びる第１ダンパ用ガイドレール１１及び第２ダンパ用ガイドレール１２を固着している。図５に示すように、両ダンパ用ガイドレール１１，１２は、ガイド溝１３が形成された合成樹脂製の樹脂部材１４を金属板製の枠材１５で囲った構造になっている。もちろん、金属板のみで単なる断面コ字状やＣ字状に形成したり、全体を合成樹脂製としても良い。
【００２２】
(1)-2.リテーナ５の構造
次に、リテーナ５について、図２に加えて図６〜図１１を参照して説明する。図６は図２のVI−VI視平面図、図７はリテーナ５の部分平面図、図８は図６のVIII−VIII視断面図、図９は図６のIX−IX視断面図、図１０は図６の X-X視断面図、図１１は図６のXI−XI視断面図である。
【００２３】
リテーナ５は、平面視略矩形に形成された金属板製の本体１６と、本体１６の四隅部にねじ止め等によって固着した合成樹脂製のボール保持部材１７とを備えており、ボール保持部材１７に一体成形した筒状のボール保持部１７ａにボール４を嵌め込んでいる。
【００２４】
この場合、図７及び図８で明瞭に示すように、各ボール保持部１７ａに、リテーナ５の対角方向の外側に位置するスリット２１を上下全長にわたって延びるように形成している。このように、各ボール保持部１７ａを非連続状態に分断し、ボール保持部１７ａの弾性力でごく緩くボール４を挟持することにより、ボール４をガタ付き無くしかも摩擦抵抗が殆どない状態に保持している。
【００２５】
図９〜図１１に示すように、リテーナ５における本体１６の各縁部１６ａは下向きに開口した樋状に折曲げ形成されており、これら各縁部１６ａに、下向きに開口したリテーナ側ガイドレール１８を固着している。
【００２６】
リテーナ側ガイドレール１８には、多数の小球１９を介してランナー２０の上スライダー２０ａが移動自在に嵌め込まれている。図示していないが、小球１９は中間レールで脱落不能に保持されている。ランナー２０はブラケット板２０ｂを備えており、このブラケット板２０ｂの上面に上スライダー２０ａをねじ止めしている。
【００２７】
ブラケット板２０ｂの外端部は上向きの段違い状に折曲げられており、このブラケット板２０ｂが上ベース２のストッパー１０に当接することにより、上下ベース２，３の最大相対動ストロークが規制されると共に、被免震物Ｗの転倒防止が図られている。
【００２８】
図９に示すように、ランナー２０におけるブラケット板２０ｂの下面には下スライダー２０ｃを固着しており、この下スライダー２０ｃは、下ベース３に固着したベース側ガイドレール２３に多数の小球１９を介して装着されている。
【００２９】
下スライダー２０ｃは上スライダー２０ａと平面視で直交した方向に延びている。また、ランナー側ガイドレール１８とベース側ガイドレール２３も、平面視で直交する方向に延びている。
【００３０】
(1)-3.ロータリダンパ６の構造
次に、ロータリダンパ６について、主として図６〜図１１に基づいて説明する。図８〜図１１に示すように、ロータリダンパ６は、上向きに開口した平面視円形のケース２５と、ケース２５の内部に収納した円板（抵抗板）２６とを備えている。
【００３１】
ケース２５は合成樹脂製であり（金属製でも良い）、その上面は蓋板２７で塞がれている。そして、ケース２５と円板２６との相対回転に抵抗を与える手段として、ケース２５の内部に、シリコーン樹脂のような粘度の高い粘性流体２８が充填されている（粘性流体２８を使用せずに、単なる摩擦によって抵抗を付与することも可能である）。
【００３２】
ケース２５にはフランジ２５ａが形成されており、リテーナ５の本体１６に、フランジ２５ａの上面及び外周面に密接する回転ガイド体２９を円周方向に沿って適当な間隔で固着している。したがって、ケース２５は回転可能な状態でリテーナ５に取り付けられている。
【００３３】
円板２６の中心には、蓋板２７に開けた穴から上向きに突出するボス３０が固着されている。ボス３０には、水平方向に延びる第１アーム３１を固着しており、この第１アーム３１の先端に上向きのピン３２を突設している。また、ケース２５の蓋板２７には、ケース２５の外側に向けて水平状に延びる第２アーム３３が固着されており、第２アーム３３の先端に上向きのピン３４を突設している。両アーム３１，３３は本体１６の縁部まで延びている。
【００３４】
ケース２５と蓋２７との間、及び、ボス３０と蓋板２７との間には、それぞれＯリングのようなシール材３５を介在させている。
【００３５】
そして、第１アーム３１のピン３２を上ベース２における第１ダンパ用ガイドレール１１のガイド溝１３に挿入し、第２アーム３３のピン３４を上ベース２における第２ダンパ用ガイドレール１２のガイド溝１３に挿入している。
【００３６】
(1)-4.下ベース３の構造
次に、図１２〜図１４に基づいて下ベース３の構造を説明する。図１２は図２のXII-XII 視平面図、図１３は図１２のXIII−XIII視断面図、図１４は図１２のXIV-XIV 視断面図である。
【００３７】
これらの図に示すように、下ベース３は金属板製の下基板３６を備えており、下基板３６に、上ベース２の上受け板８に対応した４枚の下受け板３７を固着している。このため、下ベース３には、平面視で十字状に延びる下溝３６ａが形成されている。また、下基板３６の周縁には下フレーム３８を固着している。なお、下基板３６で直接にボール４を受けても良い。
【００３８】
下基板３６の各下溝３６ａには、前記したベース側ガイドレール２３をそれぞれ固着している。なお、図１３では、小球１９を保持する中間レール３９を表示している。
【００３９】
図１４に示すように、下基板３６の中心部には、リテーナ５の本体１６に密着する摩擦板４０を配置している。摩擦板４０は、ＡＢＳ樹脂のように、リテーナ５との間に適度の摩擦を発生させる素材から成っている。
【００４０】
摩擦板４０は、筒体４１の上端に固着した支持板４２にねじ止めされており、支持板４２は、下基板３６にねじ込んだねじ４３によって上向き抜け不能に保持されている。筒体４１の内部に圧縮ばね４４が嵌め込まれており、摩擦板４０をリテーナ５の下面に適当な圧力で押し付けている。
【００４１】
(1)-5.動きの説明
次に、免震台１の動きを図１５〜図１９に基づいて説明する。図１５は、上ベース２を省略した状態での免震台１の平面図、図１６は図１５の XVI-XVI視断面図（アーム３１，３２の下方の部位は省略している）、図１７は動きの一例を示す平面図、図１８は図１７の XVIII-XVIII視断面図、図１９はロータリダンパ６の動きを説明するための平面視図である。
【００４２】
リテーナ側ガイドレール１８とベース側ガイドレール２３との各対が平面視で直交した方向に延びており、しかも、ランナー２０は平面姿勢を変えることなく両ガイドレール１８，２３を自在に摺動するため、リテーナ５と上下ベース２，３とは任意の方向に相対動し得る。従って、地震によって床（地面）がどの方向に揺れても、上下ベース２，３は地震の揺れと同じ方向に相対動し得る。
【００４３】
図１７では、上下ベース２，３が第１ガイドレール１１の長手方向に相対動した状態を示しており、この状態では、第１アーム３１は姿勢を変えることなく第１ダンパ用ガイドレール１１に沿って移動するが、第２アーム３３は、第２ダンパ用ガイドレール１２のガイド作用によってモーメントが作用するため、矢印Ａで示すように水平回動する。このため、ロータリダンパ６のケース２５と円板２６とが相対回転し、その際の抵抗により、上下ベース２，３の相対動に抵抗が付与される。
【００４４】
図１９では、上下ベース２，３の相対動方向とロータリダンパ６の働きとの関係を模式的に示している。上下ベース２，３がＸ方向に相対動した場合は、図１７の場合とは逆に、第２アーム３３の姿勢は変化することなく第１アーム３１だけが水平回動する。また、上下ベース２，３がその側辺に対して傾斜した方向に相対動すると、両アーム３１，３３はともに回動する。
【００４５】
結局、両ダンパ用ガイドレール１１，１２が平面視で交叉した方向に延びているため、リテーナ５と上ベース２とがどの方向に相対動しても、両アーム３１，３３におけるピン３２，３４の間隔が変化する。そのため、ロータリダンパ６のケース２５と円板２６とが相対回転して、リテーナ５と上ベース２との相対動に抵抗が付与される。そして、上下ベース２，３の相対動はボール４を介して連動しているため、結局、上下ベース２，３の相対動にも抵抗が付与される。
【００４６】
従って、平常時に被免震物Ｗを水平方向に押す力が作用しても、軽い力では被免震物Ｗは動かない。また、地震に際しては共振が抑制される。更に、例えば人が被免震物Ｗの縁部を水平方向に強い力で押すなどして、平常時に被免震物Ｗを水平旋回させる外力が作用しても、被免震物Ｗは水平旋回することはなく、安定した姿勢のままで直線方向に移動するに過ぎない。
【００４７】
ところで、リテーナ５におけるボール保持部材１７のボール保持部１７ａにスリット２１がない場合は、ボール保持部材１７やボール４の寸法誤差により、ボール４がボール保持部１７ａ内でガタ付いたり、逆に、ボール４が動きにくい状態になったりする虞がある。
【００４８】
そして、ガタ付きがある場合は、上下ベース２，３が相対動するに際して方向変換するたびにボール４がリテーナ５に衝突して、上下ベース２，３の相対動に加速度（マイナスの加速度）が発生して、滑らかな相対動が損なわれる虞がある。逆に、ボール４をボール保持部１７ａできつく掴んでいる状態だと、ボール４が上下ベース２，３をスリップして免震機能が大きく低下してしまう。
【００４９】
これに対して、本実施形態のようにボール保持部１７ａをスリット２１で分断すると、ボール保持部１７ａが弾性変形し得るため、ボール４やボール保持部材１７の寸法誤差を吸収できる。その結果、全くガタ付き（クリアランス）がないと共に、限りなく抵抗を抑制した状態でボール４を挟持することが可能となる。そのため、加速度の発生やスリップの発生を防止又は著しく抑制して、免震機能を格段に向上できる。
【００５０】
(2).第２実施形態（図20〜図27）
図２０〜図２７では第２実施形態を示しており、このうち図２０は分離した状態の正面図、図２１は図２０の XXI-XXI視平面図、図２２は要部の平面図、図２３は要部の分離平面図、図２４は要部の分離斜視図、図２５は組み立てた状態での図２１の XXV-XXV視断面図、図２６は組み立てた状態での図２１の XXVI-XXVI視図、図２７は使用状態の一例を示す図である。
【００５１】
この実施形態はごく小型の免震台１′に適用したもので、上ベース２′と下ベース３′とリテーナ５′とを備えているが、第１実施形態のようなガイド手段やダンパは備えていない。
【００５２】
図２０に示すように、上ベース２′は、上枠４６に金属製の上受け板８を固着した構造であり、上受け板８に凹曲面８ａが形成されている。他方、下ベース３′は、下枠４７にフラットな受け板３７を固着した構造になっており、下受け板３７のうちその四辺寄りの箇所には、免震台１′を持ち運ぶための治具（図示せず）を挿入する鍵穴状の穴４８を空けている。
【００５３】
なお、上枠４６や下枠４７は合板製としたり樹脂製としても良い。また、上下ベース２，３′の外面に化粧クロスを張っても良い。
【００５４】
リテーナ５′は、四隅をカットした板状の本体１６を備えており、四隅箇所に、ボール保持部となる一対ずつの挟持体４９を配置している。また、本体１６の四辺部には、当該本体１６の上下両方向に張り出すストッパー１０をねじ止めしている。本体１６は合成樹脂で製造されている（金属板等の他の素材製でもよい）。
【００５５】
例えば図２３や図２４に示すように、両挟持体４９の先端部には、ボール４が部分的に嵌まる凹所５０を形成している。凹所５０は、ボール４に対して複数の箇所で点接触するように複数のフラット面から成っている。
【００５６】
そして、本体１６の四隅部に、両挟持体４９の後ろ半分程度が嵌まる切欠き５１が形成されている一方、両挟持体４９の外側面には、切欠き５１の左右側縁５２に嵌合する嵌合溝５３が形成されている。また、左右挟持体４９の後部の相対向する面に、圧縮コイルばね５４が嵌まるばね受け穴５５を形成している。
【００５７】
本体１６における切欠き５１の左右内側縁５４の先端部には、平面視で半円状の支点部５２ａが形成されている一方、両挟持体４９における嵌合溝５３の前端部は支点部５２ａときっちり嵌まるように円弧部５３ａとなっている。
【００５８】
また、本体１６における切欠き５１の左右内側縁５４の後端部には、係合溝５２ｂが形成されている一方、両挟持体４９における嵌合溝５３の後部には、前記係合溝５２ｂに嵌合する段部５３ｂを形成している。
【００５９】
図から容易に理解できるように、両挟持体４９は、本体１６の支点部５２ａで外側から支持された状態で、後部はばね５４で離反するように付勢されているため、ボール４は両挟持体４９で弾性的に挟持されている。このため、ボール４はガタ付きのない状態に保持されており、且つ、両挟持体４９の姿勢も保持されている。言うまでもないが、ばね５４は、ボール４の転動を許容する程度の適度のばね力に設定されている。両挟持体４９はできるだけ摩擦係数の小さい素材が好ましい。
【００６０】
本実施形態では、ピンやねじ等の部材を不要であるため、それだけ部材点数を低減できる。また、両挟持体４９の間にボール４とばね５４とを挟んだ状態で、嵌合溝５３を切欠き５１の側縁５２に嵌め込むことによってワンタッチ的に取付けることができる一方、両挟持体４９を指で摘んでばね５４に抗して接近動させて、段部５３ｂと係合溝５２ｂとの嵌合を解除するとワンタッチ的に抜き外すことができる。したがって、取付け・取り外しがきわめて簡単である。
【００６１】
なお、図２６で示すように、リテーナ５′のストッパー１０が上下ベース２′，３′における枠４６，４７の側板に当たることにより、上下ベース２′，３′の相対動ストロークが規制される。
【００６２】
本実施形態の免震台１′は、それ自体で独立して使用することもできるし、図２７に示すように、展示ケースＷを第１実施形態で示した免震台１で支持し、展示ケースＷの展示面には本実施形態の免震台１′をおいて展示物Ｗ′を載せると言うように、他の免震台と併用しても良い。このように他の免震台１と併用すると、二重に免震できるため、免震機能を一層向上させることができる（この点は第３〜第４実施形態も同じである）。
【００６３】
(3).第３実施形態（図28〜図31）
図２８〜図３１では第３実施形態を示しており、図２８はリテーナ５′の平面図、図２９は図２８の XXIX-XXIX視正面図、図３０は分離平面図、図３１は図２８のXXXI-XXXI 視断面図である。
【００６４】
この実施形態では、一対の挟持体４９の中間部に、互いに重なり合う張り出し部４９ａ，４９ｂを形成し、この張り出し部４９ａ，４９ｂの箇所でピン（ボルト）５６によって両者を本体１６に取り付けている。
【００６５】
この実施形態では、ばね受け５５′はピン状になっている。また、いずれか一方の挟持体４９の先端部に形成した下向きの段部４９′を本体１６の端面に当てることにより、両挟持体４９の姿勢を保持している。姿勢保持手段としては、いずれか一方の挟持体４９を本体１６にピンで止めたり、ピン５６を本体１６及び一方の挟持体４９に対して回転不能に嵌め込み、他方の挟持体４９をピン４９に対して回動可能に嵌め込むなどしても良い。
【００６６】
(4).第４実施形態（図32〜図33）
図３２及び図３２では第４実施形態を示しており、図３２は平面図、図３３は図３２の XXXIII-XXXIII視断面図である。
【００６７】
この実施形態では、両挟持体４９は、その中間部において別々のピン（ボルト）５６で本体１６に水平回動自在に取付けられている。両挟持体４９の後端には、互いに重なり合うばね掛け部４９ｃ，４９ｄを形成しており、このばね掛け部４９ｂに、本体１６の対角方向に延びるように配置した引っ張りばね５７の一端を係止している。
【００６８】
引っ張りばね５７の他端は中間部材５８に係止されており、中間部材５８は、本体１６に固定したブラケット５９に貫通したボルト６０により、本体１６の対角方向に移動可能となっている。図３３に示すように、本体１６にはボール４を下向きに露出させるための逃がし穴６１が空いている。
【００６９】
この例では、両挟持体４９は、引っ張りばね５７により、ボール４を挟むように付勢されていると共に、姿勢が保持されている。また、ボルト６０を回転させて中間部材５８を移動させることにより、ボール４の挟持力を調節することができる。
【００７０】
(5).その他
本発明は上記の実施形態の他にも様々に具体化できる。例えば、挟持体を設ける場合、回動式には限らず、全体として接近・離反するように本体にスライド自在に取付けて、接近する方向にばねで付勢しても良い。
【００７１】
また、ボールを片側から支持する受け部を本体に一体成形し、回動式又はスライド式の押圧体を本体に取付けて、固定式の受け部と可動式の押圧体とでボールを挟持することも可能である。更に、リテーナの本体を合成樹脂製として、この本体の各コーナー部に保持部を一体成形することも可能である。
【図面の簡単な説明】
【図１】第１実施形態に係る免震台の全体の概略斜視図である。
【図２】分離した状態の正面図である。
【図３】図２の III-III視底面図である。
【図４】図３のIV−IV視視断面図である。
【図５】図４の部分拡大図である。
【図６】図２のVI−VI視平面図である。
【図７】リテーナの部分平面図である。
【図８】図６のVIII−VIII視断面図である。
【図９】図６のIX−IX視断面図である。
【図10】図６の X-X視断面図である。
【図11】図６のXI−XI視断面図である。
【図12】図２のXII-XII 視平面図である。
【図13】図１２のXIII−XIII視断面図である。
【図14】図１２のXIV-XIV 視断面図である。
【図15】上ベースを省略した状態での平面図である。
【図16】図１５の XVI-XVI視断面図である。
【図17】作動状態の一例を示す図である。
【図18】図１７の XVIII-XVIII視断面図である。
【図19】動きを説明するための図である。
【図20】第２実施形態の分離した状態の正面図である。
【図21】図２０の XXI-XXI視平面図である。
【図22】要部の平面図である。
【図23】要部の分離平面図である。
【図24】要部の分離斜視図である。
【図25】組み立てた状態での図２１の XXV-XXV視断面図である。
【図26】組み立てた状態での図２１の XXVI-XXVI視図である。
【図27】使用状態の一例を示す図である。
【図28】第３実施形態に係るリテーナの平面図である。
【図29】図２８の XXIX-XXIX視正面図である。
【図30】分離した状態の平面図である。
【図31】図２８のXXXI-XXXI 視断面図である。
【図32】第４実施形態に係るリテーナの平面図である。
【図33】図３２の XXXIII-XXXIII視断面図である
【符号の簡単な説明】
Ｗ  物品（被免震物）
１，１′  免震台
２，２′上ベース
３，３′下ベース
４  ボール
５，５′  リテーナ
１６  リテーナの本体
１７  ボール保持部材
１７ａ  ボール保持部
２１  スリット
４９  挟持体
５０  凹所
５４，５７  ばね
【図１】
0004021130.tif 000002
【図２】
0004021130.tif 000003
【図３】
0004021130.tif 000004
【図４】
0004021130.tif 000005
【図５】
0004021130.tif 000006
【図６】
0004021130.tif 000007
【図７】
0004021130.tif 000008
【図８】
0004021130.tif 000009
【図９】
0004021130.tif 000010
【図１０】
0004021130.tif 000011
【図１１】
0004021130.tif 000012
【図１２】
0004021130.tif 000013
【図１３】
0004021130.tif 000014
【図１４】
0004021130.tif 000015
【図１５】
0004021130.tif 000016
【図１６】
0004021130.tif 000017
【図１７】
0004021130.tif 000018
【図１８】
0004021130.tif 000019
【図１９】
0004021130.tif 000020
【図２０】
0004021130.tif 000021
【図２１】
0004021130.tif 000022
【図２２】
0004021130.tif 000023
【図２３】
0004021130.tif 000024
【図２４】
0004021130.tif 000025
【図２５】
0004021130.tif 000026
【図２６】
0004021130.tif 000027
【図２７】
0004021130.tif 000028
【図２８】
0004021130.tif 000029
【図２９】
0004021130.tif 000030
【図３０】
0004021130.tif 000031
【図３１】
0004021130.tif 000032
【図３２】
0004021130.tif 000033
【図３３】
0004021130.tif 000034